(57)【特許請求の範囲】
【請求項１】
排気ダクト側に上端部を連結する垂下ダクトと、該垂下ダクトの下方開口部より上方部位が挿設された排ガス吸込筒と、該排ガス吸込筒の中間部に周設された、垂下ダクトの下端の直下に位置するリング状の油受けとを有し、上記排ガス吸込筒における垂下ダクト下端からの突出部位を下方へ漸次拡径する、排ガスを含む吸引空気流とその周りの室内空気だけの吸引空気流とに分けた層流状態として吸引可能な集煙部位とすると共に、垂下ダクト内への挿入部位を、上記層流状態を安定化可能な筒状部位としたことを特徴とする上引き排気装置における吸引ダクト。
【請求項２】
上記筒状部位の上方部位を上方へ漸次縮径する絞り部としたことを特徴とする請求項１記載の上引き排気装置における吸引ダクト。
【請求項３】
上記垂下ダクト及び上記排ガス吸込筒間の間隙空間下部への空気導入口を垂下ダクト側に形成したことを特徴とする請求項１又は２記載の上引き排気装置における吸引ダクト。
【請求項４】
上記油受けを、上記排ガス吸込筒と、該排ガス吸込筒の中間部に一体周設された鍔状の閉鎖板と、該閉鎖板の外周部にして垂下ダクトの外側に周設された周壁部とで形成したことを特徴とする請求項１、２又は３記載の上引き排気装置における吸引ダクト。
【請求項５】
上記垂下ダクトは、排気ダクト側への固定ダクト部材と、該固定ダクト部材に対しスライド自在且つ固定可能に外嵌した昇降ダクト部材とを有して伸縮自在と成し、固定ダクト部材の下方開口部に中継筒を取り付け、該中継筒は上方部位を小径部位、中間部位を下方拡開部位、下方部位を大径部位とし、上記小径部位を固定ダクト部材の内径より小径にして固定ダクト部材内に挿入状態とし、上記大径部位を昇降ダクト部材の内径と同径又は若干小径にして、昇降ダクト部材と大径部位を近接状態としたことを特徴とする請求項１、２、３又は４記載の上引き排気装置における吸引ダクト。
【発明の詳細な説明】
【技術分野】
【０００１】
本発明は、テーブルやカウンター上にある七輪、焼物器、或いはテーブル組付式ロースターの様な加熱調理器から立上る排ガスの上引き排気装置における吸引ダクトに関する。
【背景技術】
【０００２】
従来、かかる上引き排気装置にあっては、天井に配設された排気ダクトに垂下配設された、下端を各加熱調理器具の直上に位置させる複数本の吸引ダクトを有し、各吸引ダクトの下端内周に油受けを設けてダクト径より開口径を狭くして、加熱調理器からの排ガスを効率的に吸引可能にしたものが見受けられる（例えば、特許文献１参照）。
【先行技術文献】
【特許文献】
【０００３】
【特許文献１】特開２００３−２９４２８６号公報（段落番号〔０００８〕〜〔００１０〕、〔００２０〕、図２、３）
【発明の概要】
【発明が解決しようとする課題】
【０００４】
しかし、焼肉等の飲食店舗では営業時間外に仕業点検・清掃として吸引ダクトの清掃を行うのが一般的であるが、上記従来技術にあっては、開口径を狭くして排ガスを効率的に吸引可能にしているかもしれないが、吸引ダクト内面への排ガス中の油脂成分、煤等（以降、排ガス成分と称する）の付着量の少量化に関する構成が全くなく、よって吸引ダクト内面の略全体に排ガス成分が付着してしまって清掃作業が面倒になるなど、解決せねばならない課題があった。
【課題を解決するための手段】
【０００５】
本発明は、上記従来技術に基づく、吸引ダクト内面全体に排ガス成分が付着してしまう課題に鑑み、排気ダクト側に上端部を連結する垂下ダクトと、該垂下ダクトの下方開口部より上方部位が挿設された排ガス吸込筒と、該排ガス吸込筒の中間部に周設された、垂下ダクトの下端の直下に位置するリング状の油受けとを有し、上記排ガス吸込筒における垂下ダクト下端からの突出部位を下方へ漸次拡径する、排ガスを含む吸引空気流とその周りの室内空気だけの吸引空気流とに分けた層流状態として吸引可能な集煙部位とすると共に、垂下ダクト内への挿入部位を、上記層流状態を安定化可能な筒状部位とすることによって、上記集煙部位の整流効果による排ガス吸込筒内面に沿った室内空気による層流形成と、上記筒状部位による層流の安定化により、排ガス吸込筒内面への排ガス成分の付着を防止し、且つ垂下ダクト内面への排ガス成分の付着を少量化する様にして、上記課題を解決する。
【発明の効果】
【０００６】
要するに本発明は、排気ダクト側に上端部を連結する垂下ダクトと、該垂下ダクトの下方開口部より上方部位が挿設された排ガス吸込筒と、該排ガス吸込筒の中間部に周設された、垂下ダクトの下端の直下に位置するリング状の油受けとを有し、上記排ガス吸込筒における垂下ダクト下端からの突出部位を下方へ漸次拡径する、排ガスを含む吸引空気流とその周りの室内空気だけの吸引空気流とに分けた層流状態として吸引可能な集煙部位とすると共に、垂下ダクト内への挿入部位を、上記層流状態を安定化可能な筒状部位としたので、該集煙部位により上方へ行くに従い広がりがちな排ガスを吸い込むほか、その周りの室内空気を広範囲にわたり吸い込むことが出来、而もこの集煙部位による整流効果により、排ガスを含む吸引空気流とその周りの室内空気だけの吸引空気流とに完全に分かれる、即ち排ガスを含む吸引空気流が中央に集まり、その外周が室内空気だけの吸引空気流になって層流状態になるため、排ガス吸込筒の内面に排ガスを含む吸引空気流は接触せず、排ガス吸込筒の内面への排ガス成分の付着を防止することが出来、よって排ガス吸込筒の清掃作業を軽減出来る。
更に、上記集煙部位より上方の筒状部位により上記層流状態を安定化させることが出来るため、排ガス吸込筒を通過後の吸引空気流の層流状態をある程度維持させることが出来、垂下ダクトの内面における排ガス吸込筒の上端部までの部位への排ガス成分の接触を確実に防止することが出来ることと相俟って、垂下ダクトの内面における排ガス成分の接触開始を比較的上方にずらすことが出来る、即ち垂下ダクトの内面全体に対する排ガス成分の付着範囲を狭小化出来、よって垂下ダクトの清掃作業を軽減出来る。
【０００７】
上記排ガス吸込筒における筒状部位の上方部位を上方へ漸次縮径する絞り部としたので、排ガス吸込筒を通過後の吸引空気流の流速が上がるため、排ガス吸込筒を通過後の吸引空気流の層流状態をさらに維持させることが出来、垂下ダクトの内面における排ガス成分の接触開始を更に上方にずらすことが出来る、即ち垂下ダクトの内面全体に対する排ガス成分の付着範囲を更に狭小化出来、よって垂下ダクトの清掃作業を更に軽減出来る。
【０００８】
上記垂下ダクト及び上記排ガス吸込筒間の間隙空間下部への空気導入口を垂下ダクト側に形成したので、この空気導入口から流入した室内空気が縦方向に長い間隙空間内を通る過程で安定化することから、該間隙空間から出た空気流を、垂下ダクト内面に沿う安定した層流にすることが出来るため、排ガス吸込筒による整流効果と相まって、垂下ダクトの内面における排ガス成分の接触開始を更に上方にずらすことが出来、垂下ダクトの清掃作業の軽減化を更に向上させることが出来る。
【０００９】
上記油受けを、上記排ガス吸込筒と、該排ガス吸込筒の中間部に一体周設された鍔状の閉鎖板と、該閉鎖板の外周部にして垂下ダクトの外側に周設された周壁部とで形成したので、垂下ダクトに対する排ガス吸込筒及び油受けの着脱作業の効率化を図ることが出来る。
【００１０】
上記垂下ダクトは、排気ダクト側への固定ダクト部材と、該固定ダクト部材に対しスライド自在且つ固定可能に外嵌した昇降ダクト部材とを有して伸縮自在と成しているので、集煙部位の高さを調節することが出来、又上記固定ダクト部材の下方開口部に中継筒を取り付け、該中継筒は上方部位を小径部位、中間部位を下方拡開部位、下方部位を大径部位とし、上記小径部位を固定ダクト部材の内径より小径にして固定ダクト部材内に挿入状態とし、上記大径部位を昇降ダクト部材の内径と同径又は若干小径にして、昇降ダクト部材と大径部位を近接状態としたので、吸引空気流が受けるであろう垂下ダクト内の固定ダクト部材と昇降ダクト部材の境界部での抵抗を極めて低く抑えることが出来、吸引空気中の排ガス成分が、吸引空気の下方拡開部位内面への衝突により該内面に付着するため、垂下ダクト側を可能な限り汚さずに吸引空気中の排ガス成分を除去出来、よって下流側のフィルター側の負担を軽減させることが出来る等その実用的効果甚だ大である。
【図面の簡単な説明】
【００１１】
【図１】本発明に係る排ガス吸引ダクトを設置した上引き排気装置の正面図である。
【図２】本発明に係る排ガス吸引ダクトの正面図である
【図３】図２の下端部位の拡大図である。
【図４】図３のＡ−Ａ断面図である。
【図５】図２の中間部位の拡大図である。
【図６】図５の断面図である。
【図７】排ガス吸込筒の斜視図である。
【図８】垂下ダクトの斜視図である。
【図９】吸引ダクトの下端部位での流れを示す断面図である。
【図１０】吸引ダクトの中間部位での流れを示す断面図である。
【図１１（ａ）】排ガス吸込筒と垂下ダクトとの隙間を空気導入口とした吸引ダクトの下端部位での流れを示す断面図である。
【図１１（ｂ）】閉鎖板の周壁部と吸引ダクトを貫通する孔を空気導入口とした吸引ダクトの下端部位での流れを示す断面図である。
【図１２】固定ダクト部材と昇降ダクト部材との隙間を空気導入口とした吸引ダクトの中間部位での流れを示す断面図である。
【発明を実施するための形態】
【００１２】
本発明に係る排ガス吸引ダクトにあっては、図１に示す様に、天井に配設された排気ダクトＡに、防火ダンパーＢ及び油脂回収フィルターＣを有する連結ボックスＤを介して連結されている。
【００１３】
この排ガス吸引ダクトにあっては、伸縮自在な垂下ダクト１と、該垂下ダクト１の下方開口部より挿設した排ガス吸込筒２と、該排ガス吸込筒２の中間部に周設された、垂下ダクト１の下端の直下に位置するリング状の油受け３とを有している。
【００１４】
上記排ガス吸込筒２にあっては図３、４、７に示す様に縦長筒状にして、下方部位が上記垂下ダクト１の下端より下方突出し、垂下ダクト１内への挿入部位を筒状部位2aとし、垂下ダクト１の下端からの突出部位を、下方へ漸次拡径させてラッパ状に形成した集煙部位４とし、上記筒状部位2aの上端部位を上方へ漸次縮径させて絞り部５を形成している。
【００１５】
上記油受け３にあっては、上記排ガス吸込筒２と、該排ガス吸込筒２の中間部に、具体的には、筒状部位2aと集煙部位４の境界部に一体周設された、上記垂下ダクト１の下端より下方に位置する鍔状の閉鎖板６と、該閉鎖板６の外周部にして垂下ダクト１の外側に周設された周壁部７とで形成している。
【００１６】
上記垂下ダクト１の伸縮構造は、図２、５、６、８に示す様に、上記連結ボックスＤに連結する固定ダクト部材８と、該固定ダクト部材８に対しスライド可能に外嵌する昇降ダクト部材９と、固定ダクト部材８に対する昇降ダクト部材９の固定手段10とを有している。
上記固定ダクト部材８の下方開口部に中継筒11を設け、該中継筒11の上方部位を小径部位12、中間部位を下方拡開部位13、下方部位を大径部位14とし、上記小径部位12を固定ダクト部材８の内径より小径にして固定ダクト部材８内に挿入状態とし、上記大径部位14を昇降ダクト部材９の内径と同径又は若干小径にして、昇降ダクト部材９と大径部位14を近接状態としている。
又、大径部位14の下端内側に油受け15を形成している。
【００１７】
垂下ダクト１（昇降ダクト部材９）に対する排ガス吸込筒２の取付構造にあっては、図３、４、７、８に示す様に、垂下ダクト１（昇降ダクト部材９）の外周面下端部に２個のピン16、16ａを突設し、排ガス吸込筒２の周壁部７に上端で開口する縦長Ｌ形又は横長Ｊ形の切込17、17ａを形成し、排ガス吸込筒２を、その切込17、17ａの開口部に垂下ダクト１（昇降ダクト部材９）のピン16、16ａを位置させた状態で押し上げた後に回転させて、垂下ダクト１（昇降ダクト部材９）に対し排ガス吸込筒２が取り付けられる。
【００１８】
本発明に係る排ガス吸引ダクトの他の実施例にあっては、図１１（ａ）、（ｂ）に示す様に、垂下ダクト１と排ガス吸込筒２との間の間隙空間20の下部への空気導入口21が形成され、該空気導入口21は、図１１（ａ）に示す様に、周壁部７と垂下ダクト１との間、垂下ダクト１の下端と排ガス吸込筒２との間に形成された隙間であったり、或いは図１１（ｂ）に示す様に、近接状態とした周壁部７及び垂下ダクト１を貫通する複数個の孔としている。
又、図１２に示す様に、固定ダクト部材８と中継筒11の垂下ダクト１との間に間隙空間22を形成し、該間隙空間22への空気導入口23を、固定ダクト部材８と昇降ダクト部材９との間、中継筒11の下方拡開部位13と固定ダクト部材８の下端との間の隙間としている。
【００１９】
尚、図面上、排ガス吸込筒２に対し油受け３（閉鎖板６）を一体成形しているが、排ガス吸込筒２と油受け３とに分離可能としても良い。
【００２０】
次に本発明に係る排ガス吸引ダクトの作用について説明する。
排気ファン（図示せず）により集煙部位４から排ガスを吸引するが、その周りの室内空気も一緒に吸引することから、図９、１１（ａ）、（ｂ）に示す様に、排ガス吸込筒２の内周面に沿う様に室内空気による層流が形成され、その内側を排ガスが流れて、排ガスが排ガス吸込筒２の内面に接触することが抑止され、吸引後、ある程度長い排ガス吸込筒２における垂下ダクト１への挿入部位を通過させることで垂下ダクト１の内面における排ガス吸込筒２の上端部までの部位への排ガスの接触が確実に防止され、更に排ガス吸込筒２の上方開口部から垂下ダクト１内に流入すると、拡径による圧力低下に伴い流速が徐々に減ぜられると共に吸引空気流自体が拡がって層流が徐々に無くなって行き、垂下ダクト１内面における排ガス成分の付着位置が比較的上方からになる。
而も、排ガス吸込筒２に絞り部５が形成されていれば排ガス吸込筒２の上方開口部での流速が速くなり、減速率も下がって吸引流自体の拡がりも緩くなって、垂下ダクト１における排ガス成分の付着位置が更に上方からになる。
【００２１】
図１１（ａ）、（ｂ）に示す様に、空気導入口21から間隙空間20内に室内空気が吸引された場合、垂下ダクト１内面に沿う層流が形成されて、垂下ダクト１内に流入した吸引空気が垂下ダクト１に接触しないか、或いは接触したとしても接触開始が上端側寄りになる。
【００２２】
図１２に示す様に、空気導入口23から間隙空間22内に室内空気が吸引された場合、垂下ダクト１内面に沿う層流が形成されて、垂下ダクト１内に流入した吸引空気が垂下ダクト１に接触しないか、或いは接触したとしても接触開始が上端側寄りになる。
【符号の説明】
【００２３】
１  垂下ダクト
２  排ガス吸込筒
2a  筒状部位
３  油受け
４  集煙部位
５  絞り部
６  閉鎖板
７  周壁部
８  固定ダクト部材
９  昇降ダクト部材
11  中継筒
12  小径部位
13  下方拡開部位
14  大径部位  
20  間隙空間
21  空気導入口
Ａ  排気ダクト
【図１】
0005570192.tif 000002
【図２】
0005570192.tif 000003
【図３】
0005570192.tif 000004
【図４】
0005570192.tif 000005
【図５】
0005570192.tif 000006
【図６】
0005570192.tif 000007
【図７】
0005570192.tif 000008
【図８】
0005570192.tif 000009
【図９】
0005570192.tif 000010
【図１０】
0005570192.tif 000011
【図１１（ａ）】
0005570192.tif 000012
【図１１（ｂ）】
0005570192.tif 000013
【図１２】
0005570192.tif 000014